(57)【要約】【課題】例えばBlu-ray Disc等の大容量の情報記録媒体に記録されている、例えば映画コンテンツ等の映像情報を、高画質且つ高品位で再生可能とする。【解決手段】映像情報再生装置（１００）は、第１映像情報を、フレームに含まれるフィールドを単位とした第２形式の第２映像情報に変換する第１変換手段（１０１）と、第２映像情報を構成するフィールドの組み合わせが異常である異常部分を補正する補正手段（１０４）と、補正された異常部分、及び、第２映像情報に含まれるフィールドの組み合わせが正常である正常部分を、前記第１形式の第３映像情報に変換する第２変換手段（１０２）と、第３映像情報を再生する再生手段（１０５）とを備える。【選択図】図４
2009232087.tif 000002
【特許請求の範囲】
【請求項１】
情報記録媒体にフレームを単位とした第１形式で記録された第１映像情報を再生する映像情報再生装置であって、
前記第１映像情報を、前記フレームに含まれるフィールドを単位とした第２形式の第２映像情報に変換する第１変換手段と、
前記第２映像情報を構成する前記フィールドの組み合わせが異常である異常部分を補正する補正手段と、
前記補正された異常部分、及び、前記第２映像情報に含まれる前記フィールドの組み合わせが正常である正常部分を、前記第１形式の第３映像情報に変換する第２変換手段と、
前記第３映像情報を再生する再生手段と
を備えることを特徴とする映像情報再生装置。
【請求項２】
前記異常部分を検出する検出手段を更に備え、
前記補正手段は、前記検出された異常部分を補正することを特徴とする請求項１に記載の映像情報再生装置。
【請求項３】
前記補正手段は、（i）前記フィールドの論理的な連続性に基づいて、前記異常部分を補正することに加えて又は代えて、（ii）前記フィールドが画像処理された静止画像の信号特性に基づいて、前記異常部分を補正することを特徴とする請求項１又は２に記載の映像情報再生装置。
【請求項４】
前記異常部分が発生する可能性が相対的に高い時間的又は空間的な位置を特定する特定手段を更に備え、
前記補正手段は、前記特定された位置に基づいて、前記異常部分を補正することを特徴とする請求項１から３のうちのいずれか一項に記載の映像情報再生装置。
【請求項５】
前記第２変換手段は、前記第２形式が、２個の前記フレームが５個の前記フィールドによって構成される形式である場合、前記５個のフィールドを、前記２個のフレーム又は５個のフレームに変換することで、前記異常部分及び前記正常部分を前記第３映像情報に変換することを特徴とする請求項１から４のうちのいずれか一項に記載の映像情報再生装置。
【請求項６】
前記第２変換手段は、前記第２形式が、２個の前記フレームが４個の前記フィールドによって構成される形式である場合、前記４個のフィールドを、前記２個のフレーム又は４個のフレームに変換することで、前記異常部分及び前記正常部分を前記第３映像情報に変換することを特徴とする請求項１から４のうちのいずれか一項に記載の映像情報再生装置。
【請求項７】
情報記録媒体にフレームを単位とした第１形式で記録された第１映像情報を再生し表示する映像情報再生システムであって、
前記第１映像情報を、前記フレームに含まれるフィールドを単位とした第２形式の第２映像情報に変換する第１変換手段と、
前記第２映像情報を構成する前記フィールドの組み合わせが異常である異常部分を補正する補正手段と、
前記補正された異常部分、及び、前記第２映像情報に含まれる前記フィールドの組み合わせが正常である正常部分を、前記第１形式の第３映像情報に変換する第２変換手段と、
前記第３映像情報を再生する再生手段と、
前記再生された第３映像情報を表示する表示手段と
を備えることを特徴とする映像情報再生システム。
【請求項８】
情報記録媒体にフレームを単位とした第１形式で記録された第１映像情報を再生する映像情報再生装置における映像情報再生方法であって、
前記第１映像情報を、前記フレームに含まれるフィールドを単位とした第２形式の第２映像情報に変換する第１変換工程と、
前記第２映像情報を構成する前記フィールドの組み合わせが異常である異常部分を補正する補正工程と、
前記補正された異常部分、及び、前記第２映像情報に含まれる前記フィールドの組み合わせが正常である正常部分を、前記第１形式の第３映像情報に変換する第２変換工程と、
前記第３映像情報を再生する再生工程と
を備えることを特徴とする映像情報再生方法。
【請求項９】
情報記録媒体にフレームを単位とした第１形式で記録された第１映像情報を再生し表示する映像情報再生システムにおける制御方法であって、
前記第１映像情報を、前記フレームに含まれるフィールドを単位とした第２形式の第２映像情報に変換する第１変換工程と、
前記第２映像情報を構成する前記フィールドの組み合わせが異常である異常部分を補正する補正工程と、
前記補正された異常部分、及び、前記第２映像情報に含まれる前記フィールドの組み合わせが正常である正常部分を、前記第１形式の第３映像情報に変換する第２変換工程と、
前記第３映像情報を再生する再生工程と、
前記再生された第３映像情報を表示する表示工程と
を備えることを特徴とする映像情報再生システムの制御方法。
【請求項１０】
請求項１に記載の映像情報再生装置に備えられたコンピュータを制御する制御用のコンピュータプログラムであって、該コンピュータを、前記第１変換手段、前記補正手段、前記第２変換手段、及び、前記再生手段のうち少なくとも一部として機能させることを特徴とするコンピュータプログラム。
【請求項１１】
請求項７に記載の映像情報再生システムに備えられたコンピュータを制御する制御用のコンピュータプログラムであって、該コンピュータを、前記第１変換手段、前記補正手段、前記第２変換手段、前記再生手段、及び前記表示手段のうち少なくとも一部として機能させることを特徴とするコンピュータプログラム。
【発明の詳細な説明】
【技術分野】
【０００１】
本発明は、例えば映画コンテンツ等の映像情報を再生又は表示する映像情報再生装置及び方法、映像情報再生システム、映像情報再生システムの制御方法、並びにコンピュータプログラムの技術分野に属する。
【背景技術】
【０００２】
近年、例えばBlu-ray DiscやHD DVD等の大容量の情報記録媒体において、例えば映画コンテンツ等の映像素材、所謂、映像コンテンツが、例えば縦方向の有効画素が1080個や720個や480個、576個であると共に、フレームを単位としたプログレッシブ方式に準拠して記録されている。
【０００３】
これらの大容量の情報記録媒体を再生する、例えばＤＶＤプレーヤやBD（Blu-ray Disc）プレーヤ等の映像情報記録再生装置に搭載されたビデオデコーダでは、映像信号（所謂、ビデオ信号）及び音声信号（所謂、オーディオ信号）が復号化され、ストリーム中にある再生時間の指定に対応して出力される。映像信号に含まれる画像信号は、ＭＰＥＧ（Moving Picture Expert Group）2やMPEG-4 AVC、VC-1等の方式に準拠して圧縮された信号のため、それぞれの方式に対応したデコーダ（復号化器）によって復号される。これらの方式に対応したデコーダから出力される信号は、一般的に、一秒間に60又は59.94フィールドまたは50フィールドのインターレース方式（interlace：飛び越し走査方式）や、1秒間に60又は59.94フレームや50フレームもしくは24又は23.976フレームのプログレッシブ方式（Progressive：順次走査方式）の信号である。
【０００４】
一部の特別な映像情報記録再生装置は、これらの方式に対応したデコーダから出力されるインターレース方式の出力信号を、更に演算し、一秒間に60又は59.94フレームもしくは50フレームのプログレッシブ（progressive）の信号に変換して出力する、所謂、ＩＰ変換（interlace progressive変換）を行う機能を有している。詳細には、この特別な映像情報記録再生装置が、このＩＰ変換を行う場合、例えば、輝度等の画像の信号特性（又は、信号特徴）を検出又は抽出し、フレーム構造を判別するなどの各種の画像処理が行われる。
【０００５】
他方で、特許文献１及び非特許文献１等では、映像情報再生装置において、入力されたプログレッシブ方式に準拠した映像コンテンツを、インターレース方式に準拠した映像コンテンツに変換後、再度、プログレッシブ方式へ変換して出力する機能を有するＩＣ（Integrated Circuit）に関する技術も開示されている。
【０００６】
【特許文献１】US PTO（米国特許庁）における、Title:  SOURCE-ADAPTIVE VIDEO DEINTERLACER、Document No.:20070052846  esp@cenet（欧州特許DB）における、US2007052846 SOURCE-ADAPTIVE VIDEO DEINTERLACER
【非特許文献１】アンカーベイテクノロジ社（インターネット  http://www.anchorbaytech.com/）のABT2010の製品情報（ABT2010 is a product of semiconductor）
【発明の開示】
【発明が解決しようとする課題】
【０００７】
しかしながら、一部の情報記録媒体において、映像コンテンツを編集して記録する処理、所謂、オーサリング（authoring）処理等のコンテンツ制作段階において、フレームを構成するフィールドの組み合せが不適切に記録されている。このような情報記録媒体に記録された映像コンテンツに対して、例えばBDプレーヤ等の映像情報再生装置が、例えば画像処理等の各種の加工処理を何ら行わないで、当該映像コンテンツを再生した場合、フレームを構成するフィールドの組み合せが不適切であることに起因して、例えば映像が動いている際に、この映像の縁に、くし形状のノイズ、所謂、コーミングが発生してしまい、視聴者にこのコーミングが視認されてしまうという技術的な問題点が生じてしまう。
【０００８】
加えて、上述した特許文献１及び非特許文献１等に記載されている技術は、性能のあまり良くないIP変換装置によってインターレースコンテンツからプログレッシブ化された映像（1秒間に60又は59.94フレームや50フレームに変換された映像）を対象として、映像の品位を改善し1秒間に60又は59.94フレームや50フレームにて出力するものである。またこのような技術は、元々のオーサリングされた映像が例えば、毎秒24個のフレームでオーサリングされた映像なのか、それとも毎秒30個のフレームでオーサリングされた映像なのかを判別することが技術的に困難となってしまう。このため元々のオーサリング映像の品位を改善してオーサリング映像と同じフォーマット（例えば、1080p 24Hz等）で出力することが困難となってしまうという技術的な問題点が生じてしまう。
【０００９】
本発明は、例えばBlu-ray Disc等の大容量の情報記録媒体に記録されている、例えば映画コンテンツ等の映像情報を、高画質且つ高品位で再生することが可能な映像情報再生装置及び方法、映像情報再生システム、映像情報再生システムの制御方法、並びにコンピュータプログラムを提供することを課題とする。
【課題を解決するための手段】
【００１０】
上記課題を解決するために、請求項１に記載の映像情報再生装置は、情報記録媒体にフレームを単位とした第１形式で記録された第１映像情報を再生する映像情報再生装置であって、前記第１映像情報を、前記フレームに含まれるフィールドを単位とした第２形式の第２映像情報に変換する第１変換手段と、前記第２映像情報を構成する前記フィールドの組み合わせが異常である異常部分を補正する補正手段と、前記補正された異常部分、及び、前記第２映像情報に含まれる前記フィールドの組み合わせが正常である正常部分を、前記第１形式の第３映像情報に変換する第２変換手段と、前記第３映像情報を再生する再生手段とを備える。
【００１１】
上記課題を解決するために、請求項７に記載の映像情報再生システムは、情報記録媒体にフレームを単位とした第１形式で記録された第１映像情報を再生する映像情報再生装置であって、前記第１映像情報を、前記フレームに含まれるフィールドを単位とした第２形式の第２映像情報に変換する第１変換手段と、前記第２映像情報を構成する前記フィールドの組み合わせが異常である異常部分を補正する補正手段と、前記補正された異常部分、及び、前記第２映像情報に含まれる前記フィールドの組み合わせが正常である正常部分を、前記第１形式の第３映像情報に変換する第２変換手段と、前記第３映像情報を再生する再生手段と、前記再生された第３映像情報を表示する表示手段とを備える。
【００１２】
上記課題を解決するために、請求項８に記載の映像情報再生方法は、情報記録媒体にフレームを単位とした第１形式で記録された第１映像情報を再生する映像情報再生装置における映像情報再生方法であって、前記第１映像情報を、前記フレームに含まれるフィールドを単位とした第２形式の第２映像情報に変換する第１変換工程と、前記第２映像情報を構成する前記フィールドの組み合わせが異常である異常部分を補正する補正工程と、前記補正された異常部分、及び、前記第２映像情報に含まれる前記フィールドの組み合わせが正常である正常部分を、前記第１形式の第３映像情報に変換する第２変換工程と、前記第３映像情報を再生する再生工程とを備える。
【００１３】
上記課題を解決するために、請求項９に記載の映像情報再生システムの制御方法は、情報記録媒体にフレームを単位とした第１形式で記録された第１映像情報を再生し表示する映像情報再生システムにおける制御方法であって、前記第１映像情報を、前記フレームに含まれるフィールドを単位とした第２形式の第２映像情報に変換する第１変換工程と、前記第２映像情報を構成する前記フィールドの組み合わせが異常である異常部分を補正する補正工程と、前記補正された異常部分、及び、前記第２映像情報に含まれる前記フィールドの組み合わせが正常である正常部分を、前記第１形式の第３映像情報に変換する第２変換工程と、前記第３映像情報を再生する再生工程と、前記再生された第３映像情報を表示する表示工程とを備える。
【００１４】
上記課題を解決するために、請求項１０に記載のコンピュータプログラムは、請求項１に記載の映像情報再生装置に備えられたコンピュータを制御する制御用のコンピュータプログラムであって、該コンピュータを、前記第１変換手段、前記補正手段、前記第２変換手段、及び、前記再生手段のうち少なくとも一部として機能させる。
【００１５】
上記課題を解決するために、請求項１１に記載のコンピュータプログラムは、請求項７に記載の映像情報再生システムに備えられたコンピュータを制御する制御用のコンピュータプログラムであって、該コンピュータを、前記第１変換手段、前記補正手段、前記第２変換手段、前記再生手段、及び前記表示手段のうち少なくとも一部として機能させる。
【００１６】
本発明の作用及び他の利得は次に説明する実施の形態から明らかにされよう。
【発明を実施するための最良の形態】
【００１７】
以下、発明を実施するための最良の形態としての本発明の実施形態に係る映像情報再生装置及び方法、映像情報再生システム、並びに、映像情報再生システムの制御方法について順に説明する。
【００１８】
（映像情報再生装置の実施形態）
以下、本発明の実施形態に係る映像情報再生装置について説明する。
【００１９】
本発明の映像情報再生装置に係る実施形態は、情報記録媒体にフレームを単位とした第１形式で記録された第１映像情報を再生する映像情報再生装置であって、前記第１映像情報を、前記フレームに含まれるフィールドを単位とした第２形式の第２映像情報に変換する第１変換手段と、前記第２映像情報を構成する前記フィールドの組み合わせが異常である異常部分を補正する補正手段と、前記補正された異常部分、及び、前記第２映像情報に含まれる前記フィールドの組み合わせが正常である正常部分を、前記第１形式の第３映像情報に変換する第２変換手段と、前記第３映像情報を再生する再生手段とを備える。
【００２０】
本発明の映像情報再生装置に係る実施形態によれば、一般的に、例えばBlu-ray DiscやHD DVD等の大容量の情報記録媒体において、例えば映画コンテンツ等の映像素材、所謂、映像コンテンツが、例えば縦方向の有効画素が1080個や720個や480個、576個であると共に、フレームを単位としたプログレッシブ方式等の第１形式に準拠して記録されている。そして、映像情報再生装置によって、フレームを単位とした第１形式の第１映像情報が再生される。この第１映像情報（及び後述される第２、第３映像情報）は、例えば映画コンテンツ等の主目的として再生される映像情報を意味してよいし、例えばピクチャインピクチャや、字幕や、ユーザによる操作を行わせる操作メニュー情報などの、副次的に再生される映像情報も意味してよい。
【００２１】
本実施形態によれば、先ず、第１変換手段によって、この第１映像情報が、フレームに含まれるフィールドを単位とした第２形式の第２映像情報に変換される。
【００２２】
次に、補正手段によって、この第２映像情報を構成するフィールドの組み合わせが異常である異常部分が補正される。ここに、本発明に係る「組み合わせが異常である」とは、第１映像情報を構成するフレームと、第２映像情報を構成するフィールドの組み合わせが、オーサリング処理中等のコンテンツ制作段階において、何らか不具合を原因として、所望の組み合わせと異なることを意味する。組み合わせが異常である状態の具体例としては、一のフレームを構成する一の奇数フィールドが、時間軸上で過去に位置する他のフレームを構成する他の奇数フィールドに置き換えられている状態を挙げてよい。或いは、組み合わせが異常である状態の具体例としては、一のフレームを構成する一の偶数フィールドが、時間軸上で未来に位置する他のフレームを構成する他の偶数フィールドに置き換えられている状態を挙げてよい。また、本発明に係る「補正される」又は「補正処理が行われる」とは、（ｉ）フィールドの論理的な連続性に基づきフィールドの組み合わせを修正したフレーム、又は（ｉｉ）フィールドが静止画像処理されたフレーム、又は（ｉｉｉ）信号特性に基づくＩＰ変換、所謂、ビデオ処理によるＩＰ変換を行ったフレームを用いて、元々異常であったフレームを適宜適切な映像処理を施したフレームに置き換えることを意味してよい。更に、ここに、本発明に係る「信号特性」（又は、「画像特徴」）とは、例えば、輝度、色、動き量、動きベクトル、複雑度、符号化処理のための情報量、符号化困難度等の映像信号を構成する画像の性質や、信号処理上の特性を意味する。
【００２３】
次に、第２変換手段によって、補正された異常部分、及び、第２映像情報に含まれるフィールドの組み合わせが正常である正常部分を、前記第１形式の第３映像情報に変換される。次に、再生手段によって、第３映像情報が再生される。
【００２４】
仮に、上述したような各種の処理が行われない場合、一部の情報記録媒体において、映像コンテンツを編集して記録する処理、所謂、オーサリング（authoring）処理等のコンテンツ制作段階において、フレームを構成するフィールドの組み合せが不適切に記録されている状態に対応することが殆ど又は完全にできなくなってしまう。言い換えると、この情報記録媒体に記録された映像コンテンツに対して、例えばBlu-ray Discプレーヤ等の映像情報再生装置が、例えば画像処理等の各種の加工処理を何ら行わないで、当該映像コンテンツを再生した場合、フレームを構成するフィールドの組み合せが不適切であることに起因して、例えば映像が動いている際に、この映像の画像の縁に、くし形状のノイズ（所謂、コーミング）が発生してしまい、視聴者にこのコーミングが視認されてしまう。
【００２５】
これに対して、本実施形態によれば、先ず、第１変換手段によって、この第１映像情報が、フレームに含まれるフィールドを単位とした第２形式の第２映像情報に変換される。次に、補正手段によって、この第２映像情報を構成するフィールドの組み合わせが異常である異常部分が補正される。次に、第２変換手段によって、補正された異常部分、及び、第２映像情報に含まれるフィールドの組み合わせが正常である正常部分を、第１形式の第３映像情報に変換される。次に、再生手段によって、第３映像情報が再生される。
【００２６】
この結果、第１形式の第１映像情報を構成するフレームと、第２形式の第２映像情報を構成するフィールドとの組み合わせを、適切に対応付けることが可能である。従って、フレームを構成するフィールドの組み合せが不適切であることに起因して、例えば映像が動いている際に、この映像の画像の縁に、くし形状のノイズ、所謂、コーミングが発生してしまうことを殆ど又は完全に防止することが可能である。加えて、視聴者にこのコーミングが視認されてしまうことを殆ど又は完全に防止することが可能である。
【００２７】
以上の結果、例えばBlu-ray Disc等の大容量の情報記録媒体において、フレームを単位としたプログレッシブ方式等の第１形式に準拠して記録されている、例えば映画コンテンツ等の第１映像情報を、高画質且つ高品位で再生することを実現可能である。
【００２８】
本発明の映像情報再生装置に係る実施形態の一の態様では、前記異常部分を検出する検出手段を更に備え、前記補正手段は、前記検出された異常部分を補正する。
【００２９】
この態様によれば、上述した第１変換手段による変換に続いて、検出手段によって、この第２映像情報を構成するフィールドの組み合わせが異常である異常部分が検出される。次に、補正手段によって、検出された異常部分が補正される。
【００３０】
この結果、検出された異常部分を、適切に補正することが可能である。
【００３１】
本発明の映像情報再生装置に係る実施形態の他の態様では、前記補正手段は、（i）前記フィールドの論理的な連続性に基づいて、前記異常部分を補正することに加えて又は代えて、（ii）前記フィールドが画像処理された静止画像の信号特性に基づいて、前記異常部分を補正する。
【００３２】
この態様によれば、当該情報記録媒体における映像信号の記録形式に適切に対応して、異常部分に対して補正処理を適切且つ迅速に行うことが可能である。具体的には、情報記録媒体における映像信号の記録形式と、映像情報再生装置における画像処理とが信号処理上、何らかの利点が存在する場合、フィールドが画像処理された静止画像の信号特性に基づいて、異常部分に対して補正処理を適切且つ迅速に行うことが可能である。
【００３３】
本発明の映像情報再生装置に係る実施形態の他の態様では、前記異常部分が発生する可能性が相対的に高い時間的又は空間的な位置を特定する特定手段を更に備え、前記補正手段は、前記特定された位置に基づいて、前記異常部分を補正する。
【００３４】
この態様によれば、異常部分が発生する可能性が相対的に高い時間的又は空間的な位置を特定するための各種の位置情報を記録可能なデータベースが、上述したメモリー部に格納され、特定手段が構成されていてよい。この結果、補正手段は、特定された位置に基づいて、異常部分に対して補正処理を適切且つ迅速に行うことが可能である。
【００３５】
本発明の映像情報再生装置に係る実施形態の他の態様では、前記第２変換手段は、前記第２形式が、２個の前記フレームが５個の前記フィールドによって構成される形式である場合、前記５個のフィールドを、前記２個のフレーム又は５個のフレームに変換することで、前記異常部分及び前記正常部分を前記第３映像情報に変換する。
【００３６】
この態様によれば、第２変換手段は、所謂、２−３シーケンス等の第２形式の各種の態様に適切に対応して、異常部分及び正常部分を第３映像情報に変換することが可能である。
【００３７】
本発明の映像情報再生装置に係る実施形態の他の態様では、前記第２変換手段は、前記第２形式が、２個の前記フレームが４個の前記フィールドによって構成される形式である場合、前記４個のフィールドを、前記２個のフレーム又は４個のフレームに変換することで、前記異常部分及び前記正常部分を前記第３映像情報に変換する。
【００３８】
この態様によれば、第２変換手段は、所謂、２−２シーケンス等の第２形式の各種の態様に適切に対応して、異常部分及び正常部分を第３映像情報に変換することが可能である。
【００３９】
（映像情報再生システムの実施形態）
以下、本発明の実施形態に係る映像情報再生システムについて説明する。
【００４０】
本発明の映像情報再生システムに係る実施形態は、情報記録媒体にフレームを単位とした第１形式で記録された第１映像情報を再生する映像情報再生装置であって、前記第１映像情報を、前記フレームに含まれるフィールドを単位とした第２形式の第２映像情報に変換する第１変換手段と、前記第２映像情報を構成する前記フィールドの組み合わせが異常である異常部分を補正する補正手段と、前記補正された異常部分、及び、前記第２映像情報に含まれる前記フィールドの組み合わせが正常である正常部分を、前記第１形式の第３映像情報に変換する第２変換手段と、前記第３映像情報を再生する再生手段と、前記再生された第３映像情報を表示する表示手段とを備える。
【００４１】
本発明の映像情報再生システムに係る実施形態によれば、上述した、映像情報再生装置に有される、第１変換手段と、補正手段と、第２変換手段と、再生手段とに加えて、再生された第３映像情報を表示する表示手段とを備える
以上の結果、映像情報再生装置と、表示手段とを有する映像情報再生システムにおいて、例えばBlu-ray Disc等の大容量の情報記録媒体で、フレームを単位としたプログレッシブ方式等の第１形式に準拠して記録されている、例えば映画コンテンツ等の第１映像情報を、高画質且つ高品位で再生することを実現可能である。
【００４２】
（映像情報再生方法の実施形態）
以下、本発明の実施形態に係る映像情報再生方法について説明する。
【００４３】
本発明の映像情報再生方法に係る実施形態は、情報記録媒体にフレームを単位とした第１形式で記録された第１映像情報を再生する映像情報再生装置における映像情報再生方法であって、前記第１映像情報を、前記フレームに含まれるフィールドを単位とした第２形式の第２映像情報に変換する第１変換工程と、前記第２映像情報を構成する前記フィールドの組み合わせが異常である異常部分を補正する補正工程と、前記補正された異常部分、及び、前記第２映像情報に含まれる前記フィールドの組み合わせが正常である正常部分を、前記第１形式の第３映像情報に変換する第２変換工程と、前記第３映像情報を再生する再生工程とを備える。
【００４４】
本発明の映像情報再生方法に係る実施形態によれば、上述した本発明の映像情報再生装置に係る実施形態が有する各種利益を享受することが可能となる。
【００４５】
尚、上述した本発明の映像情報再生装置に係る実施形態が有する各種態様に対応して、本発明の映像情報再生方法に係る実施形態も各種態様を採ることが可能である。
【００４６】
（映像情報再生システムの制御方法の実施形態）
以下、本発明の実施形態に係る映像情報再生システムの制御方法について説明する。
【００４７】
本発明の映像情報再生システムの制御方法に係る実施形態は、情報記録媒体にフレームを単位とした第１形式で記録された第１映像情報を再生し表示する映像情報再生システムにおける制御方法であって、前記第１映像情報を、前記フレームに含まれるフィールドを単位とした第２形式の第２映像情報に変換する第１変換工程と、前記第２映像情報を構成する前記フィールドの組み合わせが異常である異常部分を補正する補正工程と、前記補正された異常部分、及び、前記第２映像情報に含まれる前記フィールドの組み合わせが正常である正常部分を、前記第１形式の第３映像情報に変換する第２変換工程と、前記第３映像情報を再生する再生工程と、前記再生された第３映像情報を表示する表示工程とを備える。
【００４８】
本発明の映像情報再生システムの制御方法に係る実施形態によれば、上述した本発明の映像情報再生システムに係る実施形態が有する各種利益を享受することが可能となる。
【００４９】
尚、上述した本発明の映像情報再生システムに係る実施形態が有する各種態様に対応して、本発明の映像情報再生システムの制御方法に係る実施形態も各種態様を採ることが可能である。
【００５０】
（コンピュータプログラムの実施形態）
以下、本発明の実施形態に係るコンピュータプログラムについて説明する。
【００５１】
本発明の制御用のコンピュータプログラムは、上述した本発明の映像情報再生装置に係る実施形態（但し、その各種態様を含む）に備えられたコンピュータを制御する制御用のコンピュータプログラムであって、該コンピュータを、前記第１変換手段、前記補正手段、前記第２変換手段、及び、前記再生手段のうち少なくとも一部として機能させる。
【００５２】
本発明の制御用のコンピュータプログラムは、上述した本発明の映像情報再生システムに係る実施形態（但し、その各種態様を含む）に備えられたコンピュータを制御する制御用のコンピュータプログラムであって、該コンピュータを、前記第１変換手段、前記補正手段、前記第２変換手段、前記再生手段、及び前記表示手段のうち少なくとも一部として機能させる。
【００５３】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の映像情報再生装置、及び映像情報再生システムに係る実施形態を比較的簡単に実現できる。
【００５４】
尚、上述した本発明の映像情報再生装置、及び映像情報再生システムに係る実施形態における各種態様に対応して、本発明のコンピュータプログラムに係る各実施形態も各種態様を採ることが可能である。
【００５５】
本実施形態のこのような作用及び他の利得は次に説明する実施例から明らかにされる。
【００５６】
以上説明したように、本発明の映像情報再生装置及び方法に係る実施形態によれば、第１変換手段及び工程、補正手段及び工程、第２変換手段及び工程、並びに、再生手段及び工程を備える。この結果、例えばBlu-ray Disc等の大容量の情報記録媒体において、フレームを単位としたプログレッシブ方式等の第１形式に準拠して記録されている、例えば映画コンテンツ等の第１映像情報を、高画質且つ高品位で再生することを実現可能である。
【００５７】
以上説明したように、本発明の映像情報再生システム及び当該システムの制御方法に係る実施形態によれば、第１変換手段及び工程、補正手段及び工程、第２変換手段及び工程、再生手段及び工程、並びに、表示手段及び工程を備える。この結果、映像情報再生装置と、表示手段とを有する映像情報再生システムにおいて、例えばBlu-ray Disc等の大容量の情報記録媒体で、フレームを単位としたプログレッシブ方式等の第１形式に準拠して記録されている、例えば映画コンテンツ等の第１映像情報を、高画質且つ高品位で再生することを実現可能である。
【００５８】
以上説明したように、本発明のコンピュータプログラムに係る実施形態によれば、コンピュータを上述した本発明の映像情報再生装置、及び映像情報再生システムに係る実施形態として機能させるので、上述した映像情報再生装置、及び映像情報再生システムをして、例えばBlu-ray Disc等の大容量の情報記録媒体において、フレームを単位としたプログレッシブ方式等の第１形式に準拠して記録されている、例えば映画コンテンツ等の第１映像情報を、高画質且つ高品位で再生せしめることを実現可能である。
【実施例】
【００５９】
以下、図面を参照しながら、本発明の実施例について説明する。
【００６０】
（１）映像情報を保持する映像信号における符号化及び復号化の概要  
先ず、図１を参照して、一般的な映像情報を保持する映像信号の概略について説明する。ここに、図１は、本実施例に係る映像情報を保持する映像信号における符号化及び復号化の概要を図式的に示した模式図である。
【００６１】
図１に示されるように、一般に、映像情報を保持する映像信号、所謂、ディジタルビデオ信号は情報量が極めて多い。このため当該ディジタルビデオ信号を小型で記憶情報量（記憶容量）の少ない記録媒体に長時間記録をしようとする場合、または、当該ディジタルビデオ信号を通信容量が限られた通信路の中で多くのチャネル数にて伝送しようとする場合には、このディジタルビデオ信号を高能率符号化して情報量を低減することが不可欠である。このような要求に応えるべく、ビデオ信号の相関を利用した高能率符号化方式が提案されており、その一つとしていわゆるＭＰＥＧ（Ｍｏｖｉｎｇ Ｐｉｃｔｕｒｅ Ｅｘｐｅｒｔ Ｇｒｏｕｐ）方式がある。このＭＰＥＧ方式は、先ずビデオ信号のフレーム間の差分を取ることにより時間軸方向の冗長度を落し、その後、離散コサイン変換（ＤＣＴ）等の直交変換手法を用いて空間軸方向の冗長度を落してビデオ信号を能率良く符号化する。
【００６２】
このＭＰＥＧ方式に基づく符号化処理においては、図１に示されるように、各種の符号化器によって、音声信号、例えば「人の画像」である副映像情報を保持する副映像信号、例えば「Blue Sky」の字幕等の文字信号、例えば「山や木の風景の画像」である、Ｉピクチャ，Ｐピクチャ又はＢピクチャの３種類の画像（ピクチャ）によって構成される主映像情報を保持する主映像信号、及び、画像シーンを構成するシーン構成信号が圧縮され符号化される。そして、これらの圧縮され符号化された音声信号、副映像信号、字幕等の文字信号、主映像信号、及び、シーン構成信号が多重化され、伝送される。
【００６３】
次に、伝送された、圧縮され符号化された音声信号、副映像信号、字幕等の文字信号、主映像信号、及び、シーン構成信号が分離され、各種の復号化器へ出力され、伸張され復号化される。
【００６４】
次に、伸張され復号化されたシーン構成信号に基づいて、伸張され復号化された音声信号、副映像信号、字幕等の文字信号、及び、主映像信号が合成され、例えばディスプレイモニター等の表示装置によって表示される。
【００６５】
（１−１）映像情報を保持する映像信号の周期  
次に、図２を参照して、本発明の映像情報を保持する映像信号の周期の概略について説明する。ここに、図２は、本発明の映像情報を保持する映像信号の周期を決定する上で基準となる映画フィルムにおけるフレーム周期と、例えばＮＴＳＣ方式のビデオにおけるフレーム周期との比較を図式的に示した模式図である。
【００６６】
図２に示されるように、映画フィルムにおけるフレーム周期は、「１／２４」秒である。他方、ＮＴＳＣ方式のビデオにおけるフレーム周期は、「１／３０」秒である。従って、映画フィルムの４フレームの時間、即ち、「４／２４」秒（１／６秒）と、ＮＴＳＣ方式のビデオの５フレームの時間、即ち、「５／３０」秒（１／６秒）が等しい。
【００６７】
具体的には、フレーム周期が「１／２４」秒である映画フィルムを、フレーム周期が「１／３０」秒であるＮＴＳＣ方式のビデオで表示するためには、２−３プルダウン処理が行われる。即ち、映画フィルムにおける、１番目のフレームを２フィールドとして表示し、２番目のフレームを３フィールドとして表示する。この２−３プルダウン処理の結果、フレーム周期が「１／２４」秒である映画フィルムは、フレーム周期が「１／３０」秒であるＮＴＳＣ方式のビデオのフィールドに変換される。具体的には、映画フィルムにおいて、１秒間に、２４個あるフレームの半分の１２個が、２つのＮＴＳＣ方式のビデオのフィールドに分割され、もう半分の１２個のフレームが、３つのＮＴＳＣ方式のビデオのフィールドに分割されるので、次の式（１）より、１秒間に６０個のフィールドに分割されることになる。
【００６８】
（２×１２）＋（３×１２）＝６０    ……  式（１）  
詳細には、ＭＰＥＧ方式に準拠した符号化器は、ＮＴＳＣ方式のビデオのフィールドにおいては、５フィールドごとに「ｒｅｐｅａｔ＿ｆｉｒｓｔ＿ｆｉｅｌｄフラグ」が設定され、復号化器に対して、フィールドの繰り返しを指示する。この「ｒｅｐｅａｔ＿ｆｉｒｓｔ＿ｆｉｅｌｄフラグ」に基づいて、所謂、２−３プルダウン処理を行うことができる。
【００６９】
（２）基本構成  
次に、図３を参照して、本実施例に係る映像再生装置の基本構成について説明を進める。ここに、図３は、本発明の映像再生装置の第１実施例に係る映像記録再生装置の基本構成を概念的に示すブロック図である。
【００７０】
図３に示されるように、映像記録再生装置１００は、第１変換手段１０１、第２変換手段１０２、検出手段１０３、補正手段１０４、及び再生手段１０５を備えて構成されている。
【００７１】
第１変換手段１０１は、例えば毎秒２４個のフレームを単位としたプログレッシブ方式（２４ｐ）に準拠した第１映像情報を、例えば毎秒６０個のフィールドを単位としたインターレース方式（６０ｉ）に準拠した第２映像情報、又は例えば毎秒４８個のフィールドを単位としたインターレース方式（４８ｉ）に準拠した第２映像情報へ変換する第１変換処理を行う。
【００７２】
第２変換手段１０２は、後述される第２変換処理（所謂、フィルムＩＰ変換）を行う。
【００７３】
検出手段１０３は、後述されるフィールドにおける異常部分を検出する。
【００７４】
補正手段１０４は、後述される補正処理を行う。尚、この補正手段１０４によって、本発明に係る補正手段及び特定手段の一例が構成されている。
【００７５】
再生手段１０５は、例えば毎秒６０個のフレームを単位としたプログレッシブ方式（６０ｐ）に準拠した第３映像情報、又は例えば毎秒２４個のフレームを単位としたプログレッシブ方式（２４ｐ）に準拠した第３映像情報を再生する。
【００７６】
（４）  詳細な動作原理  
次に図４から図６を参照して、本発明の映像再生装置の第１実施例に係る映像記録再生装置の動作原理について説明する。特に、図４及び図５を参照して、第１映像情報において、当該第１映像情報が変換された第２映像情報を構成するフィールドの組み合わせが異常である異常部分が存在しない場合について説明する。ここに、図４は、本発明の映像再生装置の第１実施例に係る映像記録再生装置による第１変換処理、第２変換処理、及び補正処理の流れを示したフローチャートである。図５は、本発明の映像再生装置の第１実施例によって、異常部分が存在しない場合、第１及び第２変換処理が行われる際の映像情報を構成するフレームとフィールドとの対応関係を図式的に示す模式図である。
【００７７】
（４−１）  異常部分が存在しない場合  
図４に示されるように、例えば毎秒２４個のフレームを単位としたプログレッシブ方式（２４ｐ）に準拠した第１映像情報を、例えば毎秒６０個のフィールドを単位としたインターレース方式（６０ｉ）に準拠した第２映像情報へ変換する第１変換処理が行われる（ステップＳ１０１）。
【００７８】
具体的には、図５中の上側部分に示されるように、例えばプログレッシブ方式に準拠して記録されている第１映像情報を構成するフレーム（Frame）が、例えばインターレース方式に準拠した第２映像情報を構成するフィールドに変換される。即ち、プログレッシブ方式の第１映像情報を構成する２個のフレームが、インターレース方式の第２映像情報を構成する５個のフィールドに変換される。より具体的には、プログレッシブ方式の第１映像情報を構成するフレーム「Ａ」（Frame A）が、インターレース方式の第２映像情報を構成するフィールド「Ａ」ｔｏｐと、フィールド「Ａ」ｂｏｔとに変換される。尚、「ｔｏｐ」は、Frameにおける奇数番目のラインを意味し、「ｂｏｔ」は、Frameにおける偶数番目のラインを意味する。更に、プログレッシブ方式の第１映像情報を構成するフレーム「Ｂ」（Frame B）が、インターレース方式の第２映像情報を構成するフィールド「Ｂ」ｔｏｐと、フィールド「Ｂ」ｂｏｔとに変換される。更に、また、フィールド「Ｂ」ｔｏｐが、複製され、言い換えると、リピート（Repeat）され、フィールド「Ｂ」ｔｏｐが１個だけ、追加される。
【００７９】
概ね同様にして、プログレッシブ方式の第１映像情報を構成するフレーム「Ｃ」（Frame C）が、インターレース方式の第２映像情報を構成するフィールド「Ｃ」ｂｏｔと、フィールド「Ｃ」ｔｏｐとに変換される。更に、プログレッシブ方式の第１映像情報を構成するフレーム「Ｄ」（Frame D）が、インターレース方式の第２映像情報を構成するフィールド「Ｄ」ｂｏｔと、フィールド「Ｄ」ｔｏｐとに変換される。更に、また、フィールド「Ｄ」ｂｏｔが、複製され、言い換えると、リピート（Repeat）され、フィールド「Ｄ」ｂｏｔが１個だけ、追加される。
【００８０】
次に、異常部分が検出されるか否かが判定される（ステップＳ１０２）。ここで、異常部分が検出されると判定されない場合（ステップＳ１０２：Ｎｏ）、第２変換処理（所謂、フィルムＩＰ変換）が行われる（ステップＳ１０３）。具体的には、図５中の中央部分から下側部分に示されるように、例えばインターレース方式に準拠した第２映像情報を構成するフィールドが、例えばプログレッシブ方式に準拠した第３映像情報を構成するフレームに変換される。即ち、インターレース方式の第２映像情報を構成する５個のフィールドが、プログレッシブ方式の第３映像情報を構成する５個のフレームに変換される。より具体的には、インターレース方式の第２映像情報を構成するフィールド「Ａ」ｔｏｐと、フィールド「Ａ」ｂｏｔとが、プログレッシブ方式の第３映像情報を構成するフレーム「Ａ」に夫々変換される。尚、「ｔｏｐ」は、時間軸上で奇数番目の位置を意味し、「ｂｏｔ」は、時間軸上で偶数番目の位置を意味する。更に、インターレース方式の第２映像情報を構成するフィールド「Ｂ」ｔｏｐと、フィールド「Ｂ」ｂｏｔとが、プログレッシブ方式の第３映像情報を構成するフレーム「Ｂ」に夫々変換される。
【００８１】
概ね同様にして、インターレース方式の第２映像情報を構成するフィールド「Ｃ」ｂｏｔと、フィールド「Ｃ」ｔｏｐとが、プログレッシブ方式の第３映像情報を構成するフレーム「Ｃ」に夫々変換される。更に、インターレース方式の第２映像情報を構成するフィールド「Ｄ」ｂｏｔと、フィールド「Ｄ」ｔｏｐとが、プログレッシブ方式の第３映像情報を構成するフレーム「Ｄ」に夫々変換される。
【００８２】
（４−２）  異常部分が存在する場合  
次に、上述した図４及び図６を参照して、第１映像情報において、この異常部分が存在する場合について説明する。ここに、図６は、本発明の映像再生装置の第１実施例によって、異常部分が存在する場合、第１及び第２変換処理、並びに補正処理が行われる際の映像情報を構成するフレームとフィールドとの対応関係を図式的に示す模式図である。
【００８３】
上述した図４に示されるように、第１変換手段によって、上述した第１変換処理が行われる（ステップＳ１０１）。具体的には、図６中の上側部分に示されるように、この第１変換処理が行われる以前では、異常部分が存在する第１映像情報においては、プログレッシブ方式の第１映像情報を構成するフレーム「Ａ」（Frame A）が、フィールド「Ａ」ｔｏｐと、フィールド「Ａ」ｂｏｔとによって構成されている。更に、プログレッシブ方式の第１映像情報を構成するフレーム「Ｂ」（Frame B）が、フィールド「Ａ」ｔｏｐと、フィールド「Ｂ」ｂｏｔとによって構成されている。特に、このフィールド「Ａ」ｔｏｐにおいて、フィールド「Ｂ」ｔｏｐの代わりにフィールド「Ａ」ｔｏｐが挿入されている部分が異常部分である。
【００８４】
概ね同様にして、プログレッシブ方式の第１映像情報を構成するフレーム「Ｃ」（Frame C）が、フィールド「Ｂ」ｔｏｐと、フィールド「Ｃ」ｂｏｔとによって構成されている。特に、このフィールド「Ｂ」ｔｏｐにおいて、フィールド「Ｃ」ｔｏｐの代わりにフィールド「Ｂ」ｔｏｐが挿入されている部分が異常部分である。更に、プログレッシブ方式の第１映像情報を構成するフレーム「Ｄ」（Frame D）が、フィールド「Ｄ」ｂｏｔと、フィールド「Ｄ」ｔｏｐとによって構成されている。
【００８５】
そして、この第１変換処理が行われ、図６中の上側部分から中央部分に示されるように、例えばプログレッシブ方式に準拠して記録されている第１映像情報を構成するフレーム（Frame）が、例えばインターレース方式に準拠した第２映像情報を構成するフィールドに変換される。具体的には、図６中の上側部分から中央部分に示されるように、プログレッシブ方式の第１映像情報を構成するフレーム「Ａ」（Frame A）が、インターレース方式の第２映像情報を構成するフィールド「Ａ」ｔｏｐと、フィールド「Ａ」ｂｏｔとに変換される。更に、プログレッシブ方式の第１映像情報を構成するフレーム「Ｂ」（Frame B）が、インターレース方式の第２映像情報を構成する、異常部分であるフィールド「Ａ」ｔｏｐと、フィールド「Ｂ」ｂｏｔとに変換される。更に、また、異常部分であるフィールド「Ａ」ｔｏｐが、複製され、言い換えると、リピート（Repeat）され、異常部分であるフィールド「Ａ」ｔｏｐが１個だけ、追加される。
【００８６】
概ね同様にして、プログレッシブ方式の第１映像情報を構成するフレーム「Ｃ」（Frame C）が、インターレース方式の第２映像情報を構成するフィールド「Ｃ」ｂｏｔと、異常部分であるフィールド「Ｂ」ｔｏｐとに変換される。更に、プログレッシブ方式の第１映像情報を構成するフレーム「Ｄ」（Frame D）が、インターレース方式の第２映像情報を構成するフィールド「Ｄ」ｂｏｔと、フィールド「Ｄ」ｔｏｐとに変換される。更に、また、フィールド「Ｄ」ｂｏｔが、複製され、言い換えると、リピート（Repeat）され、フィールド「Ｄ」ｂｏｔが１個だけ、追加される。
【００８７】
次に、上述したように、異常部分が検出されるか否かが判定される（ステップＳ１０２）。ここで、異常部分が検出されると判定される場合（ステップＳ１０２：Ｙｅｓ）、第２変換処理と、補正処理とが行われる（ステップＳ１０４）。具体的には、図６中の中央部分から下側部分に示されるように、例えばインターレース方式に準拠した第２映像情報を構成するフィールドが、例えばプログレッシブ方式に準拠した第３映像情報を構成するフレームに補正処理が行われつつ変換される。即ち、インターレース方式の第２映像情報を構成する５個のフィールドが、プログレッシブ方式の第１映像情報を構成する５個のフレームに補正処理が行われつつ変換される。
【００８８】
より具体的には、インターレース方式の第２映像情報を構成するフィールド「Ａ」ｔｏｐと、フィールド「Ａ」ｂｏｔとが、プログレッシブ方式の第３映像情報を構成するフレーム「Ａ」に夫々変換される。更に、インターレース方式の第２映像情報を構成する、異常部分であるフィールド対して補正処理が行われつつ、プログレッシブ方式の第３映像情報を構成するフレーム「Ｂ１」、「Ｂ２」及び「Ｂ３」に変換される。また、異常部分が発生する可能性が相対的に高い時間的又は空間的な位置を特定するための各種の位置情報を記録可能なデータベースが、上述したメモリー部に格納されていてよい。この結果、補正手段は、特定された位置に基づいて、異常部分に対して補正処理を適切且つ迅速に行うことが可能である。
【００８９】
概ね同様にして、インターレース方式の第２映像情報を構成するフィールド「Ｃ」ｂｏｔ及び「Ｂ」ｔｏｐが、補正処理を行われてプログレッシブ方式の第３映像情報を構成するフレーム「Ｃ１」及び「Ｃ２」に夫々変換される。更に、インターレース方式の第２映像情報を構成するフィールド「Ｄ」ｂｏｔと、フィールド「Ｄ」ｔｏｐとが、プログレッシブ方式の第３映像情報を構成するフレーム「Ｄ」に夫々変換される。
【００９０】
（４−３）  異常部分が存在しない場合、及び、異常部分が存在する場合  
次に、第２変換処理が完了したか否かの判定が行われる（ステップＳ１０５）。ここで、第２変換処理が完了したと判定される場合（ステップＳ１０５：Ｙｅｓ）、例えば毎秒６０個のフレームを単位としたプログレッシブ方式（６０ｐ）に準拠した第３映像情報を再生するか否かが判定される（ステップＳ１０６）。ここで、このプログレッシブ方式（６０ｐ）に準拠した第３映像情報を再生すると判定された場合（ステップＳ１０６：Ｙｅｓ）、毎秒６０個のフレームを単位としたプログレッシブ方式（６０ｐ）に準拠した第３映像情報が再生される（ステップＳ１０７）。
【００９１】
他方、上述のステップＳ１０６の判定の結果、例えば毎秒６０個のフレームを単位としたプログレッシブ方式（６０ｐ）に準拠した第３映像情報を再生すると判定されない場合（ステップＳ１０６：Ｎｏ）、例えば毎秒２４個のフレームを単位としたプログレッシブ方式（２４ｐ）に準拠した第３映像情報が再生される（ステップＳ１０８）。特に、このステップＳ１０８の際には、プログレッシブ方式の第３映像情報を構成する５個のフレームが、プログレッシブ方式の第３映像情報を構成する２個のフレームへ変換される処理が行われてよい。尚、上述のステップＳ１０８では、例えば毎秒３０個のフレームを単位としたプログレッシブ方式（３０ｐ）に準拠した第３映像情報が再生されてもよい。
【００９２】
（５）本実施例の作用及び効果の検討  
次に図７を参照して、本実施例の作用及び効果の検討を行う。ここに、図７は、本実施例に係る補正処理が行われた場合のプログレッシブ方式の第３映像情報が再生されたフレームを図式的に示す模式図（図７（ａ））、及び、比較例に係る、プログレッシブ方式の第３映像情報が再生されたフレームを図式的に示す模式図（図７（ｂ））である。
【００９３】
本実施例によれば、上述したように、補正された異常部分、及び、第２映像情報に含まれるフィールドの組み合わせが正常である正常部分が、プログレッシブ方式の第３映像情報に変換される。次に、再生手段によって、この第３映像情報が再生される。従って、図７（ａ）に示されるように、例えば「手を左右に動かしている猫の手」等が、画面上で動いている際に、この画像の縁に、くし形状のノイズ、所謂、コーミングが発生してしまうことを殆ど又は完全に防止することが可能である。
【００９４】
仮に、上述したような補正処理が行われない場合、一部の情報記録媒体において、映像コンテンツを編集して記録する処理、所謂、オーサリング（authoring）処理において、フレームを構成するフィールドの組み合せが不適切に記録されている状態に対応することが殆ど又は完全にできなくなってしまう。言い換えると、この情報記録媒体に記録された映像コンテンツに対して、例えばＢＤプレーヤ等の映像情報再生装置が、例えば画像処理等の各種の加工処理を何ら行わないで、当該映像コンテンツを再生した場合、フレームを構成するフィールドの組み合せが不適切であることに起因して、例えば映像が動いている際に、この映像の画像の縁に、例えばくし形状のノイズ（所謂、コーミング）が発生してしまい、視聴者にこのコーミングが視認されてしまう。具体的には、図７（ｂ）に示されるように、例えば「手を左右に動かしている猫の手」等が、画面上で動いている際に、この画像の縁に、くし形状のノイズ、所謂、コーミングが発生してしまう。
【００９５】
これに対して、本実施例によれば、補正された異常部分、及び、第２映像情報に含まれるフィールドの組み合わせが正常である正常部分が、プログレッシブ方式の第３映像情報に変換される。次に、再生手段によって、この第３映像情報が再生される。
【００９６】
この結果、プログレッシブ方式の第１映像情報を構成するフレームと、インターレース方式の第２映像情報を構成するフィールドとの組み合わせを、適切に対応付けることが可能である。従って、フレームを構成するフィールドの組み合せが不適切であることに起因して、例えば映像が動いている際に、この画像の縁に、例えばくし形状のノイズ、所謂、コーミングが発生してしまうことを殆ど又は完全に防止することが可能である。加えて、視聴者にこのコーミングが視認されてしまうことを殆ど又は完全に防止することが可能である。
【００９７】
以上の結果、例えばBlu-ray Disc等の大容量の情報記録媒体において、フレームを単位としたプログレッシブ方式に準拠して記録されている、例えば映画コンテンツ等の第１映像情報を、高画質且つ高品位で再生することを実現可能である。
【００９８】
加えて、本実施例に係る映像情報再生装置は、搬送波によって搬送される映像信号を受信し再生することの代わりに、情報記録媒体を再生し、当該情報記録媒体に記録されている映像信号を再生してよい。この結果、当該情報記録媒体における映像信号の記録形式に適切に対応して、異常部分を高精度に検出し、当該情報記録媒体における映像信号の記録形式に適切に対応して、異常部分に対して補正処理を適切且つ迅速に行うことが可能である。具体的には、情報記録媒体における映像信号の記録形式が、例えば２−３シーケンス等のフィールドの論理的な連続性に基づいて、異常部分に対して補正処理を適切且つ迅速に行うことが可能である。或いは、情報記録媒体における映像信号の記録形式と、映像情報再生装置における画像処理とが信号処理上、何らかの利点が存在する場合、フィールドが画像処理された静止画像の信号特性に基づいて、異常部分に対して補正処理を適切且つ迅速に行うことが可能である。
【００９９】
加えて、補正処理では、異常部分に含まれる、複数のフィールドのうち、正常部分である一のフィールドと、概ね同様にして正常部分である他のフィールドとを組み合わせて、正常部分と推定可能であると共に、異常部分と置き換え可能な新規のフレームを作成してよい。或いは、異常部分に含まれる、複数のフィールドのうち、正常部分である一のフィールドと、概ね同様にして正常部分である他のフィールドとに基づいて、正常部分と推定可能であると共に、異常部分を除外可能な新規のフレームを作成してよい。
【０１００】
上述した特許文献１及び非特許文献１等に記載されている技術に対して、本実施例によれば、元々24又は23.976フレームのプログレッシブ方式でオーサリングされてディスク等のメディアに記録されたものに対して映像品位を改善し、オーサリング映像と同じ映像フォーマットで出力することが可能であるので、実践上、大変有益である。
【０１０１】
（６）  第２実施例  
次に図８及び図９に加えて、前述の図４を適宜参照して、本発明の映像再生装置の第２実施例に係る映像記録再生装置の動作原理について説明する。特に、上述した図４及び図８を参照して、第１映像情報において、当該第１映像情報が変換された第２映像情報を構成するフィールドの組み合わせが異常である異常部分が存在しない場合について説明する。図８は、本発明の映像再生装置の第２実施例によって、異常部分が存在しない場合、第１及び第２変換処理が行われる際の映像情報を構成するフレームとフィールドとの対応関係を図式的に示す模式図である。
【０１０２】
（６−１）  異常部分が存在しない場合  
前述の図４に示されるように、例えば毎秒２４個のフレームを単位としたプログレッシブ方式（２４ｐ）に準拠した第１映像情報を、例えば毎秒４８個のフィールドを単位としたインターレース方式（４８ｉ）に準拠した第２映像情報へ変換する第１変換処理が行われる（ステップＳ１０１）。
【０１０３】
具体的には、図８中の上側部分に示されるように、例えばプログレッシブ方式に準拠して記録されている第１映像情報を構成するフレーム（Frame）が、例えばインターレース方式に準拠した第２映像情報を構成するフィールドに変換される。即ち、プログレッシブ方式の第１映像情報を構成する２個のフレームが、インターレース方式の第２映像情報を構成する４個のフィールドに変換される。より具体的には、プログレッシブ方式の第１映像情報を構成するフレーム「Ａ」（Frame A）が、インターレース方式の第２映像情報を構成するフィールド「Ａ」ｔｏｐと、フィールド「Ａ」ｂｏｔとに変換される。尚、「ｔｏｐ」は、上述したように、Frameにおける奇数番目のラインを意味し、「ｂｏｔ」は、Frameにおける偶数番目のラインを意味する。更に、プログレッシブ方式の第１映像情報を構成するフレーム「Ｂ」（Frame B）が、インターレース方式の第２映像情報を構成するフィールド「Ｂ」ｔｏｐと、フィールド「Ｂ」ｂｏｔとに変換される。
【０１０４】
概ね同様にして、プログレッシブ方式の第１映像情報を構成するフレーム「Ｃ」（Frame C）が、インターレース方式の第２映像情報を構成するフィールド「Ｃ」ｔｏｐと、フィールド「Ｃ」ｂｏｔとに変換される。更に、プログレッシブ方式の第１映像情報を構成するフレーム「Ｄ」（Frame D）が、インターレース方式の第２映像情報を構成するフィールド「Ｄ」ｔｏｐと、フィールド「Ｄ」ｂｏｔとに変換される。
【０１０５】
次に、異常部分が検出されるか否かが判定される（ステップＳ１０２）。ここで、異常部分が検出されると判定されない場合（ステップＳ１０２：Ｎｏ）、第２変換処理が行われる（ステップＳ１０３）。具体的には、図８中の中央部分から下側部分に示されるように、例えばインターレース方式に準拠した第２映像情報を構成するフィールドが、例えばプログレッシブ方式に準拠した第３映像情報を構成するフレームに変換される。即ち、インターレース方式の第２映像情報を構成する４個のフィールドが、プログレッシブ方式の第３映像情報を構成する４個のフレームに変換される。より具体的には、インターレース方式の第２映像情報を構成するフィールド「Ａ」ｔｏｐと、フィールド「Ａ」ｂｏｔとが、プログレッシブ方式の第３映像情報を構成するフレーム「Ａ」に夫々変換される。尚、「ｔｏｐ」は、上述したように、時間軸上で奇数番目の位置を意味し、「ｂｏｔ」は、時間軸上で偶数番目の位置を意味する。更に、インターレース方式の第２映像情報を構成するフィールド「Ｂ」ｔｏｐと、フィールド「Ｂ」ｂｏｔとが、プログレッシブ方式の第３映像情報を構成するフレーム「Ｂ」に夫々変換される。
【０１０６】
概ね同様にして、インターレース方式の第２映像情報を構成するフィールド「Ｃ」ｔｏｐと、フィールド「Ｃ」ｂｏｔとが、プログレッシブ方式の第３映像情報を構成するフレーム「Ｃ」に夫々変換される。更に、インターレース方式の第２映像情報を構成するフィールド「Ｄ」ｔｏｐと、フィールド「Ｄ」ｂｏｔとが、プログレッシブ方式の第３映像情報を構成するフレーム「Ｄ」に夫々変換される。
【０１０７】
（６−２）  異常部分が存在する場合  
次に、上述した図４及び図９を参照して、第１映像情報において、この異常部分が存在する場合について説明する。ここに、図９は、本発明の映像再生装置の第２実施例によって、異常部分が存在する場合、第１及び第２変換処理、並びに補正処理が行われる際の映像情報を構成するフレームとフィールドとの対応関係を図式的に示す模式図である。
【０１０８】
上述した図４に示されるように、上述した第１変換処理が行われる（ステップＳ１０１）。具体的には、図９中の上側部分に示されるように、この第１変換処理が行われる以前では、異常部分が存在する第１映像情報においては、プログレッシブ方式の第１映像情報を構成するフレーム「Ａ」（Frame A）が、フィールド「Ａ」ｔｏｐと、フィールド「Ａ」ｂｏｔとによって構成されている。更に、プログレッシブ方式の第１映像情報を構成するフレーム「Ｂ」（Frame B）が、フィールド「Ａ」ｔｏｐと、フィールド「Ｂ」ｂｏｔとによって構成されている。特に、このフィールド「Ａ」ｔｏｐにおいて、フィールド「Ｂ」ｔｏｐの代わりにフィールド「Ａ」ｔｏｐが挿入されている部分が異常部分である。
【０１０９】
概ね同様にして、プログレッシブ方式の第１映像情報を構成するフレーム「Ｃ」（Frame C）が、フィールド「Ｂ」ｔｏｐと、フィールド「Ｃ」ｂｏｔとによって構成されている。特に、このフィールド「Ｂ」ｔｏｐにおいて、フィールド「Ｃ」ｔｏｐの代わりにフィールド「Ｂ」ｔｏｐが挿入されている部分が異常部分である。更に、プログレッシブ方式の第１映像情報を構成するフレーム「Ｄ」（Frame D）が、フィールド「Ｄ」ｂｏｔと、フィールド「Ｄ」ｔｏｐとによって構成されている。
【０１１０】
そして、この第１変換処理が行われ、図９中の上側部分から中央部分に示されるように、例えばプログレッシブ方式に準拠して記録されている第１映像情報を構成するフレーム（Frame）が、例えばインターレース方式に準拠した第２映像情報を構成するフィールドに変換される。
【０１１１】
具体的には、図９中の上側部分から中央部分に示されるように、プログレッシブ方式の第１映像情報を構成するフレーム「Ａ」（Frame A）が、インターレース方式の第２映像情報を構成するフィールド「Ａ」ｔｏｐと、フィールド「Ａ」ｂｏｔとに変換される。更に、プログレッシブ方式の第１映像情報を構成するフレーム「Ｂ」（Frame B）が、インターレース方式の第２映像情報を構成する、異常部分であるフィールド「Ａ」ｔｏｐと、フィールド「Ｂ」ｂｏｔとに変換される。
【０１１２】
概ね同様にして、プログレッシブ方式の第１映像情報を構成するフレーム「Ｃ」（Frame C）が、インターレース方式の第２映像情報を構成する異常部分であるフィールド「Ｂ」ｔｏｐと、フィールド「Ｃ」ｂｏｔとに変換される。更に、プログレッシブ方式の第１映像情報を構成するフレーム「Ｄ」（Frame D）が、インターレース方式の第２映像情報を構成するフィールド「Ｄ」ｔｏｐと、フィールド「Ｄ」ｂｏｔとに変換される。
【０１１３】
次に、上述したように、異常部分が検出されるか否かが判定される（ステップＳ１０２）。ここで、異常部分が検出されると判定される場合（ステップＳ１０２：Ｙｅｓ）、第２変換処理と、補正処理（所謂、動画補正処理）とが行われる（ステップＳ１０４）。具体的には、図９中の中央部分から下側部分に示されるように、例えばインターレース方式に準拠した第２映像情報を構成するフィールドが、例えばプログレッシブ方式に準拠した第３映像情報を構成するフレームに補正処理が行われつつ変換される。即ち、インターレース方式の第２映像情報を構成する４個のフィールドが、プログレッシブ方式の第１映像情報を構成する４個のフレームに補正処理が行われつつ変換される。
【０１１４】
より具体的には、インターレース方式の第２映像情報を構成するフィールド「Ａ」ｔｏｐと、フィールド「Ａ」ｂｏｔとが、プログレッシブ方式の第３映像情報を構成するフレーム「Ａ」に夫々変換される。更に、インターレース方式の第２映像情報を構成する、異常部分であるフィールド「Ａ」ｔｏｐ及び「Ｂ」ｂｏｔに対して補正処理が行われつつ、プログレッシブ方式の第３映像情報を構成するフレーム「Ｂ１」及びフレーム「Ｂ２」に夫々変換される。
【０１１５】
概ね同様にして、インターレース方式の第２映像情報を構成する異常部分であるフィールド「Ｂ」ｔｏｐ及び「Ｃ」ｂｏｔに対して補正処理が行われつつ、プログレッシブ方式の第３映像情報を構成するフレーム「Ｃ１」及びフレーム「Ｃ２」に夫々変換される。
【０１１６】
更に、インターレース方式の第２映像情報を構成するフィールド「Ｄ」ｔｏｐと、フィールド「Ｄ」ｂｏｔとが、プログレッシブ方式の第３映像情報を構成するフレーム「Ｄ」に夫々変換される。
【０１１７】
このように、第２実施例によれば、２−３シーケンス以外にも、２−２シーケンス等の第２形式の各種の態様に適切に対応して、異常部分及び正常部分を第３映像情報に補正しつつ変換することが可能である。
【０１１８】
また、上述の実施例では、映像情報再生装置、及び映像情報再生システムの一例として、ＭＰＥＧ２、又は、Ｈ．２６４／ＡＶＣ等に準拠した映像信号を再生する映像情報再生装置、及び映像情報再生システムについて説明したが、本発明は、他の種類の規格に準拠した映像信号を再生する映像情報再生装置、及び映像情報再生システムにも適用可能である。
【０１１９】
本発明は、上述した実施例に限られるものではなく、請求の範囲及び明細書全体から読み取れる発明の要旨或いは思想に反しない範囲で適宜変更可能であり、そのような変更を伴う映像情報再生装置及び方法、映像情報再生システム、映像情報再生システムの制御方法、並びにコンピュータプログラムもまた本発明の技術的範囲に含まれるものである。
【図面の簡単な説明】
【０１２０】
【図１】本実施例に係る映像情報を保持する映像信号における符号化及び復号化の概要を図式的に示した模式図である。
【図２】本発明の映像情報を保持する映像信号の周期を決定する上で基準となる映画フィルムにおけるフレーム周期と、例えばＮＴＳＣ方式のビデオにおけるフレーム周期との比較を図式的に示した模式図である。
【図３】本発明の映像再生装置の第１実施例に係る映像記録再生装置の基本構成を概念的に示すブロック図である。
【図４】本発明の映像再生装置の第１実施例に係る映像記録再生装置による第１変換処理、第２変換処理、及び補正処理の流れを示したフローチャートである。
【図５】本発明の映像再生装置の第１実施例によって、異常部分が存在しない場合、第１及び第２変換処理が行われる際の映像情報を構成するフレームとフィールドとの対応関係を図式的に示す模式図である。
【図６】本発明の映像再生装置の第１実施例によって、異常部分が存在する場合、第１及び第２変換処理、並びに補正処理が行われる際の映像情報を構成するフレームとフィールドとの対応関係を図式的に示す模式図である。
【図７】本実施例に係る補正処理が行われた場合のプログレッシブ方式の第３映像情報が再生された映像を図式的に示す模式図（図７（ａ））、及び、比較例に係る、プログレッシブ方式の第３映像情報が再生された映像を図式的に示す模式図（図７（ｂ））である。
【図８】本発明の映像再生装置の第２実施例によって、異常部分が存在しない場合、第１及び第２変換処理が行われる際の映像情報を構成するフレームとフィールドとの対応関係を図式的に示す模式図である。
【図９】本発明の映像再生装置の第２実施例によって、異常部分が存在する場合、第１及び第２変換処理、並びに補正処理が行われる際の映像情報を構成するフレームとフィールドとの対応関係を図式的に示す模式図である。
【符号の説明】
【０１２１】
１００  映像情報記録再生装置
１０１  第１変換手段
１０２  第２変換手段
１０３  検出手段
１０４  補正手段
１０５  再生手段
【図１】
2009232087.tif 000003
【図２】
2009232087.tif 000004
【図３】
2009232087.tif 000005
【図４】
2009232087.tif 000006
【図５】
2009232087.tif 000007
【図６】
2009232087.tif 000008
【図７】
2009232087.tif 000009
【図８】
2009232087.tif 000010
【図９】
2009232087.tif 000011